(57)【要約】【課題】    ディンプルを工夫することにより空力特性を改善して飛距離を向上させたゴルフボールを提供する。【解決手段】  球体表面１０１はディンプル１０２とディンプル１０２を除いたランド１０３で構成され、前記ディンプル１０２は楕円形ディンプル１０４と共に円形ディンプル１０５が形成されたゴルフボール１００であって、  前記１つの楕円形ディンプル１０４がその長軸方向両端部１０４ａ、１０４ｂにおいてそれぞれ前記円形ディンプル１０５と重合し、前記円形ディンプル１０５と前記楕円形ディンプル１０４とが相互に連通しており、  前記１つのランド１０３は前記３つの楕円形ディンプル１０４、１０４、１０４の間に形成されている。
2013111263.tif 000002
【特許請求の範囲】
【請求項１】
球体の表面はディンプルとディンプルを除いたランドで構成され、前記ディンプルは楕円形ディンプルと共に円形ディンプルが形成されたゴルフボールであって、
前記１つの楕円形ディンプルがその長軸方向両端部においてそれぞれ前記円形ディンプルと重合し、前記円形ディンプルと前記楕円形ディンプルとが相互に連通しており、
前記１つのランドは前記３つの楕円形ディンプルの間に形成されている
ゴルフボール。
【請求項２】
前記円形ディンプルに対して前記楕円形ディンプルの重合部分における最大深さは、
０．１〜０．１５ｍｍ、
前記円形ディンプルの中央部分の最大深さは、０．２３〜０．２８ｍｍ、
前記楕円形ディンプルの中央部分の最大深さは、０．３３〜０．３８ｍｍ
である請求の範囲１記載のゴルフボール。
【発明の詳細な説明】
【技術分野】
【０００１】
本発明は、ゴルフボールにおいて、特に球体表面におけるディンプルとランドの配列構成の改良に関する。
【背景技術】
【０００２】
従来、ゴルフボールは、抗力を小さく揚力を大きくして、空力特性（揚力/抗力）を高めるために、ゴルフボールの表面に複数のディンプルを配置している。例えば、ディンプルの表面形状を楕円形等の非円形にしたり（特許文献１、４)、ディンプル内に凸部や凹部を設けて二重ディンプルとしたり（特許文献２)、ディンプル間を溝でつなぐ構成など（特許文献３、５)が提案されている。【０００３】
【特許文献１】特開平8-191905号公報
【特許文献２】特開平8-238336号公報
【特許文献３】特開平8-276035号公報
【特許文献４】実用新案登録3157248号公報
【特許文献５】国際公開ＷＯ2010-143655
【特許文献６】特開2000-317014号公報
【発明の開示】
【発明が解決しようとする課題】
【０００４】
本発明の課題は、ディンプルを工夫することにより空力特性を改善して飛距離を向上させたゴルフボールを提供することにある。
【課題を解決するための手段】
【０００５】
前記課題を解決するために、本発明は、球体表面はディンプルとディンプルを除いたランドで構成され、前記ディンプルは楕円形ディンプルと共に円形ディンプルが形成されたゴルフボールであって、
前記１つの楕円形ディンプルがその長軸方向両端部においてそれぞれ前記円形ディンプルと重合し、前記円形ディンプルと前記楕円形ディンプルとが相互に連通しており、
前記１つのランドは前記３つの楕円形ディンプルの間に形成されており、
ゴルフボールを採用した。
【発明の効果】
【０００６】
従って、このゴルフボールは、従来の円形ディンプルが形成されたゴルフボールと異なって、円形ディンプルとともに楕円形ディンプルがあり、しかも楕円形ディンプルは円形ディンプルに対して重合し、楕円形ディンプルと円形ディンプルとは相互に連通している構成のため、ゴルフボールのスピン量の増大を抑えつつ、空力特性（揚力/抗力）が増大し、飛距離を向上することができる。
【図面の簡単な説明】
【０００７】
【図１】本発明の第１の実施態様を示す概略正面図である。
【図２】図１におけるａ−ａ線の同要部拡大断面図である。
【図３】本発明の第２の実施態様を示す概略正面図である。
【図４】図３におけるｂ−ｂ線の同要部拡大断面図である。
【図５】本発明の第３の実施態様を示す概略正面図である。
【図６】図５におけるｃ−ｃ線の同要部拡大断面図である。
【符号の説明】
【０００８】
１００  ゴルフボール
１０１  球体表面
１０２  ディンプル
１０３  ランド
１０４  楕円形ディンプル
１０５  円形ディンプル
１１５  円形ディンプル
１２５  円形ディンプル
ＡＤ    円形ディンプルに対して楕円形ディンプルの重合部分における最大深さ
ＢＤ    円形ディンプルの中央部分の最大深さ
ＣＤ    楕円形ディンプルの中央部分の最大深さ
【発明を実施するための最良の形態】
【０００９】
図1及び図２において、１００はゴルフボールで、その球体の表面１０１はディンプル１０２とディンプル１０２を除いたランド１０３で構成され、前記ディンプル１０２は楕円形ディンプル１０４と共に円形ディンプル１０５が形成されている。【００１０】
ディンプル１０２は前記１つの楕円形ディンプル１０４がその長軸方向両端部１０４ａ、１０４ｂにおいてそれぞれ前記円形ディンプル１０５と重合し、前記円形ディンプル１０５と前記楕円形ディンプル１０４とが相互に連通している。【００１１】
一方、前記ランド１０３は、１つのランド１０３において前記３つの楕円形ディンプル１０４、１０４、１０４の間に形成されている。従って、１つのランド１０３が楕円形ディンプル１０４、１０４、１０４の長軸方向両端部を除いて楕円形ディンプル１０４、１０４、１０４の周囲縁によって取り囲まれている。【００１２】
従って、このゴルフボール１００は、前記ディンプルと前記ランドが一定の関係で繰り返し形成されたゴルフボールであるので、従来の円形ディンプルが形成されたゴルフボールと異なって、円形ディンプル１０５とともに楕円形ディンプル１０４があり、しかも楕円形ディンプル１０４は円形ディンプル１０５に対して重合し、楕円形ディンプル１０４と円形ディンプル１０５とは相互に連通している構成のため、このゴルフボール１００を打った際に発生するスピン量を抑えつつ、空力特性（揚力/抗力）を増大することができる。【００１３】
また図３及び図４において、前記円形ディンプル１０５の代わりに、表面が６角形で円錐形に形成された円形ディンプル１１５となっている点で異なるゴルフボールである。また図５及び図６において、前記円形ディンプル１０５の代わりに、ランド１０３の先端部を斜め１０７に切った円形ディンプル１２５である。【００１４】
ところで前記円形ディンプルに対して前記楕円形ディンプルの重合部分における最大深さは、０．１〜０．１５ｍｍ好ましく、前記円形ディンプルの中央部分の最大深さは、０．２３〜０．２８ｍｍが好ましく、前記楕円形ディンプルの中央部分の最大深さは、０．３３〜０．３８ｍｍが好ましい。【００１５】
このゴルフボールは、いずれも従来の円形ディンプルが形成されたゴルフボールと異なって、円形ディンプルとともに楕円形ディンプルがあり、しかも楕円形ディンプルは円形ディンプルに対して重合し、楕円形ディンプルと円形ディンプルとは相互に連通している構成のため、ゴルフボールのスピン量の増大を抑えつつ、空力特性（揚力/抗力）が増大し、飛距離を向上することができる。
【産業上の利用可能性】
【００１６】
本発明のゴルフボールは、初心者からプロに至るゴルファーに利用可能である。
【図１】
2013111263.tif 000003
【図２】
2013111263.tif 000004
【図３】
2013111263.tif 000005
【図４】
2013111263.tif 000006
【図５】
2013111263.tif 000007
【図６】
2013111263.tif 000008
【国際調査報告】
2013111263.tif 000009
2013111263.tif 000010